(57)【要約】【課題】リップを備えていなくても、より魚らしい動きをすることが可能な魚型ルアーを提供する。【解決手段】ルアー本体２と、ルアー本体２の頭部３に設けられた釣針５とを備えた魚型ルアーであって、ルアー本体２のうちの、少なくとも頭部３よりも後方側に配置された後方部４が、軟質ゴムまたは軟質樹脂で形成され、後方部４ｂは、１つ以上の肉薄部を有する。後方部４は、肉薄部を２つ以上有することによって、２以上の肉薄部４ａと、１以上の肉厚部４ｂとが、ルアー本体２の長手方向に沿って交互に配置された形状をしていると好ましい。【選択図】  図１
2006223296.tif 000002
【特許請求の範囲】
【請求項１】
ルアー本体と、前記ルアー本体の頭部に設けられた釣針とを備えた魚型ルアーであって、
前記ルアー本体のうちの、少なくとも前記頭部よりも後方側に配置された後方部が、軟質ゴムまたは軟質樹脂で形成されており、
前記後方部は、１つ以上の肉薄部を有することを特徴とする魚型ルアー。
【請求項２】
前記後方部は、前記肉薄部を２つ以上有することによって、２以上の前記肉薄部と、１以上の肉厚部とが、前記ルアー本体の長手方向に沿って交互に配置された形状をしている請求項１に記載の魚型ルアー。
【請求項３】
所定の前記肉厚部の厚みは、当該肉厚部の直ぐ後方に配置された肉薄部の厚みに達するまで連続的に薄くなっている請求項２に記載の魚型ルアー。
【請求項４】
前記頭部は、軟質ゴムまたは軟質樹脂で形成されている請求項１〜３のいずれかの項に記載の魚型ルアー。
【請求項５】
各肉薄部は板状である請求項１〜４のいずれかの項に記載の魚型ルアー。
【請求項６】
前記肉厚部の前記頭部側の端面は、魚型ルアーの長手方向と直交する平面を含む請求項２または３に記載の魚型ルアー。
【請求項７】
前記釣針は、釣糸接続部と針部とを備え、前記頭部に差し込まれ、
前記釣糸接続部は、前記頭部の先端付近に突き出ており、
前記針部は、前記頭部の上面に接して配置され、または頭部内に埋め込まれている請求項１〜６のいずれかの項に記載の魚型ルアー。
【請求項８】
前記ルアー本体に設けられた錘をさらに備えた請求項１〜７のいずれかの項に記載の魚型ルアー。
【発明の詳細な説明】
【技術分野】
【０００１】
本発明は、魚型ルアーに関する。
【背景技術】
【０００２】
淡水魚であるブラックバスなどの大型肉食魚を釣るためには、従来からルアーが使用されている。海釣りにおいてもルアーは良く使用されている。
【０００３】
従来の、例えば、特許文献１に記載された釣用ルアーは、図４に示されるような構造をしている。図４は、従来の魚型ルアーの側面図である。図４に示すように、魚型ルアーは、魚の頭部に似せて形成されたルアー頭部１１１と、ルアー頭部１１１の後方に連結されたルアー体部１１２とを有している。ルアー頭部１１１は、ＡＢＳ樹脂等の硬質合成樹脂からなる。ルアー体部１１２は、塩化ビニル等の軟質合成樹脂などからなる。ルアー頭部１１１には、先端付近に設けられ釣糸を係止可能な釣糸係止部１１３と、斜め下方向に突出して設けられたリップ１１４と、スプリットリング１１５を介してルアー頭部１１１に連結された釣針１１６とが取り付けられている。ルアー体部１１２の内部には形状記憶合金製ワイヤ１１７が配置されている。
【０００４】
上記従来の魚型ルアーでは、リップ１１４が受ける水の抵抗による作用を利用して、釣糸を介した操作により、魚らしい動きが与えられる。
【特許文献１】特開２００２−１３６２４７号公報
【発明の開示】
【発明が解決しようとする課題】
【０００５】
しかし、従来の魚型ルアーはリップ１４を備えるため、その分、部品数が増え、コスト高となる。
【０００６】
また、リップ１１４を備えた従来の魚型ルアーでは、釣糸を介した操作により、魚らしい挙動をいくらか実現できるが、不十分な点もあった。例えば、ルアー体部１１２についてよりリアルな動きを再現することはできなかった。
【０００７】
本発明は、リップを備えていなくても、魚らしい動きを実現可能な魚型ルアーを提供する。
【課題を解決するための手段】
【０００８】
本発明の魚型ルアーは、ルアー本体と、前記ルアー本体の頭部に設けられた釣針とを備えた魚型ルアーであって、前記ルアー本体のうちの、少なくとも前記頭部よりも後方側に配置された後方部が、軟質ゴムまたは軟質樹脂で形成されており、前記後方部は、１つ以上の肉薄部を有することを特徴とする。
【発明の効果】
【０００９】
本発明では、より魚らしい動きをすることが可能な魚型ルアーを提供できる。
【発明を実施するための最良の形態】
【００１０】
以下、本発明の魚型ルアーの一例について、図面を参照しながら説明する。
【００１１】
（実施形態１）
図１のＡは、本実施形態の魚型ルアーの側面図であり、図１のＢは、Ａに示した魚型ルアーの上面図である。尚、本願において、上面とは、水中で上方を向く側の面を意味する。
【００１２】
図１に示すように、本実施形態の魚型ルアー１は、ルアー本体２と、ルアー本体２の頭部３に設けられた釣針５とを備えている。ルアー本体２は、頭部３と頭部３よりも後方側に配置された後方部４とを含んでいる。
【００１３】
ルアー本体２のうちの、少なくとも後方部４は、軟質ゴムまたは軟質樹脂で形成されている。
【００１４】
後方部４は、複数の肉薄部４ａと複数の肉厚部４ｂとを含み、複数の肉薄部４ａと複数の肉厚部４ｂとが、ルアー本体２の長手方向に沿って交互に配置されている。
【００１５】
肉薄部４ａの厚みＬ１は、頭部３の後方部側端における厚みＬ２よりも薄い。尚、本願において、「厚み」は、上面の面方向と同方向の厚みを意味する。
【００１６】
本実施形態の魚型ルアー１は、肉薄部４ａと肉厚部４ｂとを設けたことにより形成された段部４ｃを有する。魚型ルアー１は、水中において釣糸を介して操作されると、段部４ｃが受ける水の抵抗により、肉薄部４ａが湾曲する。本実施形態の魚型ルアー１では、複数の肉薄部４ａと複数の肉厚部４ｂとが、ルアー本体２の長手方向に沿って交互に配置されているので、肉薄部４ａの上記湾曲が、ルアー本体２の長手方向に向って連続的に生じることとなる。そのため、魚型ルアー１では、釣糸を介した操作により、より魚らしい動きを実現できる。
【００１７】
尚、段部４ｃを有していれば、尾部も肉厚部４ｂとする。
【００１８】
図１に示した例では、ルアー本体２は、その全体が、軟質ゴムまたは軟質樹脂で形成されている。軟質ゴムとしては、例えば、シリコンゴムが挙げられる。軟質樹脂としては、例えば、塩化ビニル樹脂、ポリオレフィン等が挙げられる。ルアー本体２の成形方法としては、例えば、インジェクション成形法等が挙げられる。
【００１９】
肉薄部４ａの形状について特に制限はないが、例えば、図１に示すように、板状であると好ましい。肉薄部４ａの厚みについて特に制限はないが、湾曲し易さと必要な強度との両立を考慮した上で、使用用途に応じて適宜決定すればよい。
【００２０】
肉厚部４ｂの形状は、隣接する肉薄部４ａよりも厚みが厚ければ特に制限はないが、図１のＢに示すように、例えば、点線で表される通常の魚の形状をした偏平体６の後方部４に相当する部分の所定の箇所を、板状の肉薄部４ａに変えた場合の残余であればよい。
【００２１】
すなわち、本実施形態の魚型ルアーのルアー本体部２は、通常の魚の形状をした偏平体６に複数の切り欠き部が設けられた形状をしている。
【００２２】
図１のＢに示した例では、ルアー本体２を上面から見たときの肉厚部４ｂの形状は、略台形であるが、肉厚部４ｂの形状はこれに制限されない。例えば、図２に示すように、所定の肉厚部４ｂの厚みは、その肉厚部４ｂの直ぐ後方に配置された肉薄部４ａの厚みに達するまで連続的に薄くなっていてもよい。
【００２３】
図１のＢに示すように、各肉厚部４ｂの頭部側３の端面は、魚型ルアー１の長手方向と直交する平面４１ｂを含んでいると好ましい。上記平面４１ｂは、板状の肉薄部４ａの主面（肉薄部４ａの厚み方向と直交する面）と直交しているとも言える。このように、肉薄部４ａと肉厚部４とを設けたことにより形成された、頭部３に面する段部４ｃが肉薄部４ａの主面と直交する平面４１ｂであると、上記平面４１ｂが受ける水の抵抗が大きく、肉薄部４ａの湾曲の程度が大きくなる。これにより、躍動感のある魚の動きを実現できる。
【００２４】
尚、上記「直交」には、略直交する場合も含まれる。上記「平面」には、製造上の都合で若干の凸凹が形成されている場合も含まれる。
【００２５】
肉薄部４ａと肉厚部４ｂの数については、特に制限はない。
【００２６】
図１に示すように、釣針５は、釣糸接続部５ａ（いわゆるラインアイ）と針部５ｂとを備えており、例えば、略Ｊの字状である。釣針５は、頭部３に差し込まれて、ルアー本体２に固定されている。釣糸接続部５ａは頭部３の先端付近に突き出ている。釣糸接続部５ａには、図示されていないが、釣糸が結びつけられる。針部５ｂは、例えば、頭部３の上面側に突き抜けており、上面に接して配置されている。しかし、針部５ｂは、ルアー本体２の外側に突き出ていなくてもよく、ルアー本体２の頭部３内に埋め込まれていてもよい。
【００２７】
魚型ルアーは、水草や漁礁等の障害物の近くに投げられることが多い。障害物の近くに魚が集まる傾向にあるからである。所望の深さにまで達した魚型ルアーは、釣糸を介した操作により、魚の動きに似た動きが与えられる。しかし、釣針５の針部５ｂが、ルアー本体２から、上方に著しく突き出ていると、針部５ｂが障害物に引っ掛かる事態、いわゆる根掛りが生じ易い。図１に示すように、針部５ｂが、例えば、頭部３の上面に沿うよう接して配置され、または、ルアー本体２の頭部３内に配置されていると、根掛りを抑制できる。よって、本実施形態の魚型ルアー１は、障害物のより近くに投げることが可能となる。
【００２８】
尚、図１に示した例では、ルアー本体２全体が、軟質ゴムまたは軟質樹脂で形成されているが、本実施形態の魚型ルアー１はこれに制限されない。ルアー本体２のうちの、少なくとも後方部２ｂが、軟質ゴムまたは軟質樹脂で形成されていればよく、頭部２ａは、例えば、硬質樹脂で形成されていてもよい。硬質合成樹脂としては、ＡＢＳ樹脂、ポリカーボネート、ポリスチレン等が挙げられる。
【００２９】
また、本実施形態の魚型ルアー１は、ルアー本体２に設けられた錘（図示せず）をさらに備えていてもよい。錘が設けられる位置や、錘の重さ等については、用途に応じて適宜選択すればよい。錘は、例えば、ルアー本体内に埋め込まれていてもよい。
【００３０】
（実施形態２）
図３のＡは、本実施形態の魚型ルアーの側面図であり、図３のＢは、図３のＡに示した魚型ルアーの上面図である。
【００３１】
図３に示すように、本実施形態の魚型ルアー１は、肉薄部４ａが１つである点で、肉薄部４ａを複数有する実施形態１の魚型ルアー（図１参照）と相違し、この点以外は、実施形態１の魚型ルアーと同様の構造をしている。
【００３２】
すなわち、図３のＡに示すように、本実施形態の魚型ルアー１は、ルアー本体２と、ルアー本体２の頭部３に設けられた釣針５とを備え、ルアー本体２は、頭部３と頭部３よりも後方側に配置された後方部４とを含み、後方部４ｂは、１つの肉薄４ａ部を有している。
【００３３】
図３のＢに示すように、本実施形態の魚型ルアー１は、肉薄部４ａを設けたことにより形成された段部４ｃを有する。魚型ルアー１は、水中において釣糸を介して操作されると、段部４ｃが受ける水の抵抗により、肉薄部４ａが湾曲する。そのため、本実施形態の魚型ルアー１においても、釣糸を介した操作により、魚らしい動きを実現できる。
【産業上の利用可能性】
【００３４】
本発明の魚型ルアーは、リップを備えていなくても、魚らしい動きをすることが可能であるので、魚型ルアーとして有用である。
【図面の簡単な説明】
【００３５】
【図１】Ａは実施形態１の魚型ルアーの一例の側面図、ＢはＡに示した魚型ルアーの上面図
【図２】実施形態１の魚型ルアーの他の例の上面図
【図３】Ａは実施形態２の魚型ルアーの一例の側面図、ＢはＡに示した魚型ルアーの上面図
【図４】従来の魚型ルアーの一例の側面図
【符号の説明】
【００３６】
１        魚型ルアー
２        ルアー本体部
３        頭部
４        後方部
４ａ      肉薄部
４ｂ      肉厚部
４１ｂ    平面
５        釣針
５ａ      釣糸接続部
５ｂ      針部
【図１】
2006223296.tif 000003
【図２】
2006223296.tif 000004
【図３】
2006223296.tif 000005
【図４】
2006223296.tif 000006
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
ルアー本体と、前記ルアー本体の頭部に設けられた釣針とを備えた魚型ルアーであって、
前記ルアー本体のうちの、少なくとも前記頭部よりも後方側に配置された後方部が、軟質ゴムまたは軟質樹脂で形成されており、
前記後方部は、１つ以上の肉薄部を含み、
前記肉薄部は板状であることを特徴とする魚型ルアー。
【請求項２】
前記後方部は、前記肉薄部を２つ以上有することによって、２以上の前記肉薄部と、１以上の肉厚部とが、前記ルアー本体の長手方向に沿って交互に配置された形状をしている請求項１に記載の魚型ルアー。
【請求項３】
所定の前記肉厚部の厚みは、当該肉厚部の直ぐ後方に配置された肉薄部の厚みに達するまで連続的に薄くなっている請求項２に記載の魚型ルアー。
【請求項４】
前記頭部は、軟質ゴムまたは軟質樹脂で形成されている請求項１〜３のいずれかの項に記載の魚型ルアー。
【請求項５】
前記肉厚部の前記頭部側の端面は、魚型ルアーの長手方向と直交する平面を含む請求項２または３に記載の魚型ルアー。
【請求項６】
前記釣針は、釣糸接続部と針部とを備え、前記頭部に差し込まれ、
前記釣糸接続部は、前記頭部の先端付近に突き出ており、
前記針部は、前記頭部の上面に接して配置され、または頭部内に埋め込まれている請求項１〜５のいずれかの項に記載の魚型ルアー。
【請求項７】
前記ルアー本体に設けられた錘をさらに備えた請求項１〜６のいずれかの項に記載の魚型ルアー。
【請求項８】
請求項１〜７のいずれかの項に記載の魚型ルアーに使用するルアー本体であって、
前記ルアー本体の前記頭部および前記後方部は、軟質ゴムまたは軟質樹脂で形成されており、
前記後方部は、１つ以上の肉薄部を含み、
前記肉薄部は板状であることを特徴とするルアー本体。
【手続補正２】
【補正対象書類名】明細書
【補正対象項目名】０００８
【補正方法】変更
【補正の内容】
【０００８】
本発明の魚型ルアーは、ルアー本体と、前記ルアー本体の頭部に設けられた釣針とを備えた魚型ルアーであって、前記ルアー本体のうちの、少なくとも前記頭部よりも後方側に配置された後方部が、軟質ゴムまたは軟質樹脂で形成されており、前記後方部は、１つ以上の肉薄部を含み、前記肉薄部は板状であることを特徴とする。                                                                          
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
ルアー本体と、前記ルアー本体の頭部に設けられ釣糸接続部と針部とを含む釣針とを備えた魚型ルアーであって、
前記ルアー本体の前記頭部および前記頭部よりも後方側に配置された後方部が、軟質ゴムまたは軟質樹脂で形成されており、
前記後方部は、１つ以上の肉薄部を含み、前記肉薄部は板状であり、
前記釣針は前記ルアー本体の頭部内に差し込まれて固定され、前記釣針の前記釣糸接続部は前記ルアー本体の前記頭部の先端付近に突き出ていることを特徴とする魚型ルアー。
【請求項２】
前記後方部は、前記肉薄部を２つ以上有することによって、２以上の前記肉薄部と、１以上の肉厚部とが、前記ルアー本体の長手方向に沿って交互に配置された形状をしている請求項１に記載の魚型ルアー。
【請求項３】
所定の前記肉厚部の厚みは、当該肉厚部の直ぐ後方に配置された肉薄部の厚みに達するまで連続的に薄くなっている請求項２に記載の魚型ルアー。
【請求項４】
前記肉厚部の前記頭部側の端面は、魚型ルアーの長手方向と直交する平面を含む請求項２または３に記載の魚型ルアー。
【請求項５】
前記針部は、前記頭部の上面に接して配置され、または頭部内に埋め込まれている請求項１〜４のいずれかの項に記載の魚型ルアー。
【請求項６】
前記ルアー本体内に埋め込まれた錘をさらに備えた請求項１〜５のいずれかの項に記載の魚型ルアー。
【請求項７】
請求項１〜６のいずれかの項に記載の魚型ルアーに使用するルアー本体であって、
前記ルアー本体の前記頭部および前記頭部よりも後方側に配置された後方部が、軟質ゴムまたは軟質樹脂で形成されており、
前記後方部は、１つ以上の肉薄部を含み、前記肉薄部は板状であり、
釣針を下げるためのスプリットリングを備えていないことを特徴とするルアー本体。
【手続補正２】
【補正対象書類名】明細書
【補正対象項目名】０００８
【補正方法】変更
【補正の内容】
【０００８】
本発明の魚型ルアーは、ルアー本体と、前記ルアー本体の頭部に設けられ釣糸接続部と針部とを含む釣針とを備えた魚型ルアーであって、前記ルアー本体の前記頭部および前記頭部よりも後方側に配置された後方部が、軟質ゴムまたは軟質樹脂で形成されており、前記後方部は、１つ以上の肉薄部を含み、前記肉薄部は板状であり、前記釣針は前記ルアー本体の前記頭部内に差し込まれて固定され、前記釣針の前記釣糸接続部は前記ルアー本体の前記頭部の先端付近に突き出ていることを特徴とする。
また本発明のルアー本体は、前記魚型ルアーに使用するルアー本体であって、前記ルアー本体の前記頭部および前記頭部よりも後方側に配置された後方部が、軟質ゴムまたは軟質樹脂で形成されており、前記後方部は、１つ以上の肉薄部を含み、前記肉薄部は板状であり、釣針を下げるためのスプリットリングを備えていないことを特徴とする。
【手続補正３】
【補正対象書類名】明細書
【補正対象項目名】０００９
【補正方法】変更
【補正の内容】
【０００９】
本発明では、ルアー本体の後方部が板状の肉薄部を含んでいるので、釣糸を介した操作により、より魚らしい動きをすることが可能な魚型ルアーを提供できる。また、釣針の針部がルアー本体の頭部内に差し込まれて固定されているので、魚型ルアーが、水草や漁礁等の障害物の近くに投げられても、針部が障害物に引っ掛かる事態が生じにくく、そのため、本発明の魚型ルアーは、障害物のより近くに投げることができる。
【手続補正４】
【補正対象書類名】明細書
【補正対象項目名】００１９
【補正方法】変更
【補正の内容】
【００１９】
肉薄部４ａの形状について特に制限はないが、例えば、図１に示すように、板状である。肉薄部４ａの厚みについて特に制限はないが、湾曲し易さと必要な強度との両立を考慮した上で、使用用途に応じて適宜決定すればよい。